(57)【要約】【課題】被測定者の身体の或る被測定部位に貼り付けられる貼り付け式体温計であって、受信機側で、被測定者の体温に或る基準温度差を超える温度変化があったことを知ることができるとともに、体温変化の傾向を知ることができるものを提供すること。【解決手段】被測定部位に貼り付けられる温度センサと、この温度センサを覆う断熱材とを備える。温度センサの出力に基づいて、被測定部位の温度を表す信号を取得する測定部と、無線で送信するための通信部とを備える。設定期間（Δｔｃ）毎に、通信部にその設定期間を代表する温度を表す信号を出力させる第１の制御を行う（Ｓ１，Ｓ３，Ｓ４）。これとともに、設定期間内で、第１の時刻における第１の温度と第２の時刻における第２の温度との間の温度差（ΔＴ）が、基準温度差（ΔＴｒｅｆ）に達した時点で、通信部に第２の温度を表す信号を出力させる第２の制御を行う（Ｓ２，Ｓ４）。【選択図】図５
2014074660.tif 000002
【特許請求の範囲】
【請求項１】
被測定者の身体の或る被測定部位に貼り付けられる温度センサと、
上記温度センサの、上記被測定部位とは反対の側を覆って、上記温度センサを上記被測定者の周りの環境から遮断する断熱材と、
上記温度センサの出力に基づいて、上記被測定部位の温度を表す信号を取得する測定部と、
上記測定部が取得した信号を無線で送信するための通信部と、
予め設定された長さをもつ設定期間毎に、上記通信部にその設定期間を代表する温度を表す第１の信号を出力させる第１の制御を行うとともに、上記設定期間内で、第１の時刻における第１の温度と第２の時刻における第２の温度との間の温度差が、予め定められた或る基準温度差に達したとき、その基準温度差に達した時点で、上記通信部に上記第２の温度を表す第２の信号を出力させる第２の制御を行う制御部と、
を備えた貼り付け式体温計。
【請求項２】
請求項１に記載の貼り付け式体温計において、
上記制御部は、上記第１の制御における或る設定期間内に、上記第２の制御によって上記通信部に上記第２の信号を出力させた時点で、上記第１の制御における上記設定期間に続く次の設定期間を開始することを特徴とする貼り付け式体温計。
【請求項３】
請求項１または２に記載の貼り付け式体温計において、
上記温度センサと一体に、上記測定部、上記通信部、上記制御部、並びに、上記測定部、上記通信部および上記制御部に電力を供給する電源部を備えたことを特徴とする貼り付け式体温計。
【請求項４】
請求項３に記載の貼り付け式体温計において、
上記電源部が上記電力を供給するための電圧が或る基準電圧を下回ったとき、上記設定期間の長さを延長して設定する期間設定部を備えたことを特徴とする貼り付け式体温計。
【請求項５】
請求項３に記載の貼り付け式体温計において、
上記電源部が上記電力を供給するための電圧が或る基準電圧を下回ったとき、上記基準温度差を拡大して設定する基準温度差設定部を備えたことを特徴とする貼り付け式体温計。
【請求項６】
請求項１から５までのいずれか一つに記載の貼り付け式体温計において、
上記設定期間の長さは５分間から１０分間までの範囲内であることを特徴とする貼り付け式体温計。
【請求項７】
請求項１から６までのいずれか一つに記載の貼り付け式体温計において、
上記測定部は、上記設定時間内で、上記被測定部位の温度を表す信号を、上記設定時間よりも短い時間間隔で繰り返し取得することを特徴とする貼り付け式体温計。
【請求項８】
請求項７に記載の貼り付け式体温計において、
上記測定部が取得した上記被測定部位の温度を表す信号を時系列で記憶する記憶部を備え、
上記制御部は、上記第１の制御において、上記設定期間毎に、上記記憶部に記憶された温度を平均して得られた平均温度を、その設定期間を代表する温度とすることを特徴とする貼り付け式体温計。
【請求項９】
請求項７または８に記載の貼り付け式体温計において、
上記制御部は、上記第１、第２の時刻を、上記測定部が上記被測定部位の温度を表す信号を上記時間間隔で繰り返し取得する際の互いに隣り合う時刻とすることを特徴とする貼り付け式体温計。
【請求項１０】
請求項１から８までのいずれか一つに記載の貼り付け式体温計において、
上記制御部は、上記設定期間毎に、上記第１の時刻をその設定期間の開始時点とし、上記第２の時刻をその設定期間内の上記第１の時刻よりも後の時点とすることを特徴とする貼り付け式体温計。
【請求項１１】
請求項１０に記載の貼り付け式体温計において、
上記制御部は、上記第１の時刻における上記第１の温度を、その設定期間直前の設定期間を代表する温度とすることを特徴とする貼り付け式体温計。
【請求項１２】
請求項１から１１までのいずれか一つに記載の貼り付け式体温計において、
上記基準温度差は０．１℃から０．２℃までの範囲内であることを特徴とする貼り付け式体温計。
【請求項１３】
請求項１から１２までのいずれか一つに記載の貼り付け式体温計と、
上記貼り付け式体温計が測定した温度データを無線で受信する受信機と、
を含む体温測定システム。
【請求項１４】
請求項１３に記載の体温測定システムにおいて、
上記設定期間の長さを超えて、上記貼り付け式体温計から上記受信機が上記第１の信号または上記第２の信号を受信しないとき、異常が発生した旨を報知する報知部を備えたことを特徴とする体温測定システム。
【発明の詳細な説明】
【技術分野】
【０００１】
この発明は貼り付け式体温計に関し、より詳しくは、被測定者の身体の或る被測定部位に貼り付けられ、上記被測定部位の温度を測定するとともに、測定した温度データを無線で送信する貼り付け式体温計に関する。
【０００２】
また、この発明は、そのような貼り付け式体温計と、上記貼り付け式体温計が測定した温度データを無線で受信する受信機と、を含む体温測定システムに関する。
【背景技術】
【０００３】
従来、この種の体温測定システムとしては、例えば特許文献１（実用新案登録第３０７０９４０号公報）に開示されたものが知られている。そのシステムは、例えば被測定者（嬰児または病人）の手の上部に装着される体温測定手段を含む発信機と、看護者の手の上部に装着される受信機とを含む。被測定者の体温が０．１℃〜５℃上昇すると、発信機が受信機に体温データを表す信号を発信する。発信のきっかけとなる体温変化は、例えば０．１℃または１℃というように設定可能になっている。
【先行技術文献】
【特許文献】
【０００４】
【特許文献１】実用新案登録第３０７０９４０号公報
【発明の概要】
【発明が解決しようとする課題】
【０００５】
しかしながら、特許文献１（実用新案登録第３０７０９４０号公報）のシステムでは、発信機が信号を発信するのは０．１℃〜５℃の体温変化があったときだけであるため、被測定者の体温変化がなければ、発信機は信号を発信しない。このため、受信機側で、体温変化の傾向を知ることができない、という問題がある。また、例えば発信機が故障して信号を全く発信しないとき、受信機側では、看護者は被測定者の体温変化が無いと誤って思い込んでしまい、重大な事故が起こる可能性がある。
【０００６】
そこで、この発明の課題は、被測定者の身体の或る被測定部位に貼り付けられる貼り付け式体温計であって、受信機側で、被測定者の体温に或る基準温度差を超える温度変化があったことを知ることができるとともに、体温変化の傾向を知ることができるものを提供することにある。
【０００７】
また、この発明の課題は、そのような貼り付け式体温計と、上記貼り付け式体温計が測定した温度データを無線で受信する受信機と、を含む体温測定システムを提供することにある。
【課題を解決するための手段】
【０００８】
上記課題を解決するため、この発明の貼り付け式体温計は、
被測定者の身体の或る被測定部位に貼り付けられる温度センサと、
上記温度センサの、上記被測定部位とは反対の側を覆って、上記温度センサを上記被測定者の周りの環境から遮断する断熱材と、
上記温度センサの出力に基づいて、上記被測定部位の温度を表す信号を取得する測定部と、
上記測定部が取得した信号を無線で送信するための通信部と、
予め設定された長さをもつ設定期間毎に、上記通信部にその設定期間を代表する温度を表す第１の信号を出力させる第１の制御を行うとともに、上記設定期間内で、第１の時刻における第１の温度と第２の時刻における第２の温度との間の温度差が、予め定められた或る基準温度差に達したとき、その基準温度差に達した時点で、上記通信部に上記第２の温度を表す第２の信号を出力させる第２の制御を行う制御部と、
を備える。
【０００９】
本明細書では、上記被測定部位の温度を被測定者の体温として同一視するものとする。
【００１０】
また、「設定期間内」とは、その設定期間の開始時点と終了時点とを含むものとする。なお、或る設定期間の終了時点は、その設定期間に続く次の設定期間の開始時点と同じである。
【００１１】
この発明の貼り付け式体温計では、被測定者の身体の或る被測定部位に貼り付けられた温度センサが、その被測定部位の温度を検知する。ここで、断熱材が、上記温度センサの、被測定部位とは反対の側を覆って、上記温度センサを被測定者の周りの環境から遮断する。したがって、上記温度センサの出力は、上記被測定部位の温度、すなわち被測定者の体温を正確に表すものとなる。
【００１２】
また、制御部は、予め設定された長さをもつ設定期間毎に、上記通信部にその設定期間を代表する温度を表す第１の信号を出力させる第１の制御を行う。これに応じて、通信部は、上記第１の信号を上記設定期間毎に無線で送信する。したがって、ユーザは、上記第１の信号を受信機によって無線で受信すれば、受信機側で、被測定者の体温変化の傾向を知ることができる。それとともに、ユーザは、上記貼り付け式体温計が異常なく動作していることを知ることができる。
【００１３】
それとともに、制御部は、上記設定期間内で、第１の時刻における第１の温度と第２の時刻における第２の温度との間の温度差が、予め定められた或る基準温度差に達したとき、その基準温度差に達した時点で、上記通信部に上記第２の温度を表す第２の信号を出力させる第２の制御を行う。これに応じて、通信部は、上記第２の信号を無線で送信する。したがって、例えば被測定者の体調が急変して被測定者の体温に上記基準温度差を超える温度変化があったとき、ユーザは、上記第２の信号を受信機によって無線で受信すれば、受信機側で、被測定者の体温に上記基準温度差を超える温度変化があったことを知ることができる。
【００１４】
一実施形態の貼り付け式体温計では、上記制御部は、上記第１の制御における或る設定期間内に、上記第２の制御によって上記通信部に上記第２の信号を出力させた時点で、上記第１の制御における上記設定期間に続く次の設定期間を開始することを特徴とする。
【００１５】
この一実施形態の貼り付け式体温計では、上記制御部は、上記第１の制御における或る設定期間内に、上記第２の制御によって上記通信部に上記第２の信号を出力させた時点で、上記第１の制御における上記設定期間に続く次の設定期間を開始する。この結果、上記第１の制御による上記設定期間毎の無線送信のタイミングが、上記次の設定期間の終点まで繰り延べられる。したがって、上記通信部による無線送信のための電力を節約でき、省電力が可能となる。
【００１６】
一実施形態の貼り付け式体温計では、上記温度センサと一体に、上記測定部、上記通信部、上記制御部、並びに、上記測定部、上記通信部および上記制御部に電力を供給する電源部を備えたことを特徴とする。
【００１７】
この一実施形態の貼り付け式体温計では、上記温度センサと一体に、上記測定部、上記通信部、上記制御部、並びに、上記測定部、上記通信部および上記制御部に電力を供給する電源部を備える。したがって、外部から電力を受けて動作するのではなく、自らの電力で動作する、いわゆるアクティブ型の貼り付け式体温計を構成できる。
【００１８】
一実施形態の貼り付け式体温計では、上記電源部が上記電力を供給するための電圧が或る基準電圧を下回ったとき、上記設定期間の長さを延長して設定する期間設定部を備えたことを特徴とする。
【００１９】
この一実施形態の貼り付け式体温計では、上記電源部が消耗してその電圧が低下したとき、上記通信部による無線送信のための電力を節約でき、上記電源部の寿命を延ばすことができる。
【００２０】
一実施形態の貼り付け式体温計では、上記電源部が上記電力を供給するための電圧が或る基準電圧を下回ったとき、上記基準温度差を拡大して設定する基準温度差設定部を備えたことを特徴とする。
【００２１】
この一実施形態の貼り付け式体温計では、上記電源部が消耗してその電圧が低下したとき、上記通信部による無線送信のための電力を節約でき、上記電源部の寿命を延ばすことができる。
【００２２】
一実施形態の貼り付け式体温計では、上記設定期間の長さは５分間から１０分間までの範囲内であることを特徴とする。
【００２３】
この一実施形態の貼り付け式体温計では、上記設定期間の長さは５分間から１０分間までの範囲内であるから、ユーザは、例えば半日、１日、または複数日にわたる体温変化の傾向を容易に知ることができる。また、仮にこの貼り付け式体温計が故障して信号を全く送信しない状態になったとき、ユーザは、この貼り付け式体温計に何らかの異常が発生したことを、容易に気付くことができる。それに対して、上記設定期間の長さが長すぎると、ユーザは、この貼り付け式体温計に何らかの異常が発生したことを、なかなか気付くことができない。また、上記設定期間内で、上記第２の制御の原因が生じない限り、上記通信部による無線送信は、５分間から１０分間までの範囲内の上記設定期間毎に行われるだけである。したがって、無線送信のための電力を節約でき、省電力が可能となる。
【００２４】
一実施形態の貼り付け式体温計では、上記測定部は、上記設定時間内で、上記被測定部位の温度を表す信号を、上記設定時間よりも短い時間間隔で繰り返し取得することを特徴とする。
【００２５】
この一実施形態の貼り付け式体温計では、上記測定部は、上記設定時間内で、上記被測定部位の温度を表す信号を、上記設定時間よりも短い時間間隔で繰り返し取得する。したがって、正確な温度取得が可能となる。また、上記測定部が上記被測定部位の温度を表す信号を、常時連続的に取得する場合に比して、省電力が可能となる。なお、一般的に、温度を表す信号を取得するための消費電力は、無線送信のための消費電力に比して、２桁程度小さい。したがって、上記測定部による消費電力は、あまり問題とはならない。
【００２６】
一実施形態の貼り付け式体温計では、上記制御部は、上記第２の制御において、上記第１、第２の時刻を、上記測定部が上記被測定部位の温度を表す信号を上記時間間隔で繰り返し取得する際の互いに隣り合う時刻とする。
【００２７】
この一実施形態の貼り付け式体温計では、上記測定部が上記被測定部位の温度を表す信号を上記時間間隔で繰り返し取得する際の互いに隣り合う第１、第２の時刻の間で、被測定者の体温に上記基準温度差を超える温度変化があった時、その時点で、上記制御部による第２の制御によって、上記通信部は、上記第２の信号を無線で送信する。したがって、ユーザは、上記第２の信号を受信機によって無線で受信すれば、受信機側で、被測定者の体温に、上記設定時間よりも短い上記時間間隔での突発的な温度変化があったことを知ることができる。
【００２８】
一実施形態の貼り付け式体温計では、
上記測定部が取得した上記被測定部位の温度を表す信号を時系列で記憶する記憶部を備え、
上記制御部は、上記第１の制御において、上記設定期間毎に、上記記憶部に記憶された温度を平均して得られた平均温度を、その設定期間を代表する温度とすることを特徴とする。
【００２９】
この一実施形態の貼り付け式体温計では、上記記憶部は、上記測定部が取得した上記被測定部位の温度を表す信号を時系列で記憶する。上記制御部は、上記第１の制御において、上記設定期間毎に、上記記憶部に記憶された温度を平均して得られた平均温度を、その設定期間を代表する温度とする。その設定期間を代表する温度は上記第１の信号として、上記通信部によって出力される（無線で送信される）。このように、上記設定期間毎の平均温度をその設定期間を代表する温度とした場合、被測定者の体温を適切に表すことができる。
【００３０】
一実施形態の貼り付け式体温計では、上記制御部は、上記第２の制御において、上記設定期間毎に、上記第１の時刻をその設定期間の開始時点とし、上記第２の時刻をその設定期間内の上記第１の時刻よりも後の時点とする。
【００３１】
この一実施形態の貼り付け式体温計では、或る設定期間の開始時点での第１の温度とその設定期間内の上記第１の時刻よりも後の時点での第２の温度との間の温度差が上記基準温度差に達したとき、その時点で、上記制御部による第２の制御によって、上記通信部は、上記第２の信号を無線で送信する。したがって、ユーザは、上記第２の信号を受信機によって無線で受信すれば、受信機側で、被測定者の体温に、或る設定期間の開始時点での第１の温度に対して上記基準温度差を超える温度変化があったことを知ることができる。この場合、上記設定期間内で被測定者の体温が徐々に緩やかに上昇（または下降）する場合に、その体温の上昇（または下降）を有効に検出できる。
【００３２】
一実施形態の貼り付け式体温計では、上記制御部は、上記第１の時刻における上記第１の温度を、その設定期間直前の設定期間を代表する温度とすることを特徴とする。
【００３３】
この一実施形態の貼り付け式体温計では、上記制御部は、上記第１の時刻における上記第１の温度を、その設定期間直前の設定期間を代表する温度とする。これにより、被測定者の体温の基準を適切に設定できる。
【００３４】
一実施形態の貼り付け式体温計では、上記基準温度差は０．１℃から０．２℃までの範囲内であることを特徴とする。
【００３５】
この一実施形態の貼り付け式体温計では、上記基準温度差は０．１℃から０．２℃までの範囲内であるから、被測定者の体温変化を、普及している市販の体温計並みの精度で検知できる。
【００３６】
この発明の体温測定システムは、
上記貼り付け式体温計と、
上記貼り付け式体温計が測定した温度データを無線で受信する受信機と、
を含む。
【００３７】
この発明の体温測定システムでは、貼り付け式体温計の、被測定者の身体の或る被測定部位に貼り付けられた温度センサが、その被測定部位の温度を検知する。ここで、断熱材が、上記温度センサの、被測定部位とは反対の側を覆って、上記温度センサを被測定者の周りの環境から遮断する。したがって、上記温度センサの出力は、上記被測定部位の温度を正確に表すものとなる。
【００３８】
また、貼り付け式体温計の制御部は、予め設定された設定期間毎に、上記通信部にその設定期間を代表する温度を表す第１の信号を出力させる第１の制御を行う。これに応じて、通信部は、上記第１の信号を上記設定期間毎に無線で送信する。したがって、ユーザは、上記第１の信号を受信機によって無線で受信すれば、受信機側で、被測定者の体温変化の傾向を知ることができる。それとともに、ユーザは、上記貼り付け式体温計が異常なく動作していることを知ることができる。
【００３９】
それとともに、貼り付け式体温計の制御部は、上記設定期間内で、第１の時刻における第１の温度と第２の時刻における第２の温度との間の温度差が、予め定められた或る基準温度差に達したとき、その基準温度差に達した時点で、上記通信部に上記第２の温度を表す第２の信号を出力させる第２の制御を行う。これに応じて、通信部は、上記第２の信号を無線で送信する。したがって、例えば被測定者の体調が急変して被測定者の体温に上記基準温度差を超える温度変化があったとき、ユーザは、上記第２の信号を受信機によって無線で受信すれば、受信機側で、被測定者の体温に上記基準温度差を超える温度変化があったことを知ることができる。
【００４０】
一実施形態の体温測定システムでは、上記設定期間の長さを超えて、上記貼り付け式体温計から上記受信機が上記第１の信号または上記第２の信号を受信しないとき、異常が発生した旨を報知する報知部を備えたことを特徴とする。
【００４１】
この一実施形態の体温測定システムでは、上記設定期間の長さを超えて、上記貼り付け式体温計から上記受信機が上記第１の信号または上記第２の信号を受信しないとき、報知部は、異常が発生した旨を報知する。したがって、ユーザは、上記貼り付け式体温計に何らかの異常が発生したことを、容易に知ることができる。
【発明の効果】
【００４２】
以上より明らかなように、この発明の貼り付け式体温計および体温測定システムによれば、受信機側で、被測定者の体温に或る基準温度差を超える温度変化があったことを知ることができるとともに、体温変化の傾向を知ることができる。
【図面の簡単な説明】
【００４３】
【図１】図１（Ａ）はこの発明の貼り付け式体温計としての一実施形態のセンサを上方から見たところを示す平面図であり、また、図１（Ｂ）はその貼り付け式体温計を側方から見たところを示す断面図である。
【図２】受信機としてのリーダの外観を示す斜視図である。
【図３】上記センサの制御系のブロック構成を示す図である。
【図４】上記リーダの制御系のブロック構成を示す図である。
【図５】上記センサの動作フローを示す図である。
【図６】上記リーダの動作フローを示す図である。
【図７】上記センサの動作タイミングを示す図である。
【図８】上記センサを変形した変形例の制御系のブロック構成を示す図である。
【図９】図８のセンサの動作フローを示す図である。
【図１０】図８のセンサによる電圧判定処理のフローを示す図である。
【図１１】上記リーダの、図８のセンサに対応した動作フローを示す図である。
【図１２】図８のセンサの動作タイミングを示す図である。
【発明を実施するための形態】
【００４４】
以下、この発明の実施の形態を、図面を参照しながら詳細に説明する。
【００４５】
図１（Ａ）はこの発明の貼り付け式体温計としての一実施形態のセンサ（全体を符号１０で示す。）を上方から見たところを示し、また、図１（Ｂ）はそのセンサ１０を側方から見たところを示している。なお、「上方」や「側方」、後述の「下方」、「上面」、「下面」などは、センサ１０の外形を説明するための便宜上の呼称にすぎない。このセンサ１０は、被測定者の被測定部位（例えば、腋の下など）に対して、如何なる向きにでも貼り付け可能である。
【００４６】
図１（Ａ），図１（Ｂ）に示すように、このセンサ１０は、偏平な円筒状の外形をもつケーシング１１を有している。ケーシング１１の直径Ｄ（図１（Ａ）中に示す。）は、例えば３ｃｍに設定されている。また、ケーシング１１の高さＨ（図１（Ｂ）中に示す。）は、例えば１０ｍｍに設定されている。
【００４７】
図１（Ｂ）によって分かるように、ケーシング１１は、断面凹状のホルダ部１３と、略円板状の蓋部１２とからなっている。ホルダ部１３と蓋部１２は、この例では、ＡＢＳ（アクリロニトリルブタジエンスチレン共重合体）またはＰＥＴ（ポリエチレンテレフタレート）からなっている。
【００４８】
ホルダ部１３は、略円形または略楕円形の形状をもつセンサ支持板１４と一体に設けられている。
【００４９】
センサ支持板１４の上面１４ａには、温度センサ１５が図示しない接着剤によって貼り付けられている。このセンサ支持板１４は、伝熱性を有する材料、この例ではステンレス鋼（ＳＵＳ３０４−２Ｂ）からなっている。このセンサ支持板１４の厚さは、例えば０．２ｍｍに設定されている。このセンサ支持板１４の外縁は、この例ではプレス加工により折り曲げられて、側方へ突出した環状フランジ１４ｅを構成している。温度センサ１５は、この例ではサーミスタからなっている。ただし、熱電対であっても良い。
【００５０】
ホルダ部１３は、センサ支持板１４の周りを取り囲んで支持する円環状の底板部１３ｂと、この底板部１３ｂの外縁に連なる略円筒状の外周部１３ｅとを有している。底板部１３ｂの内縁１３ｃは、この例では一体成形によって、センサ支持板１４の環状フランジ１４ｅを掴むように上下方向に関して２重に構成されている。底板部１３ｂの内縁部１３ｃの厚さは、例えば２ｍｍに設定されている。底板部１３ｂの本来の厚さ（内縁部１３ｃ以外の厚さ）は、例えば１ｍｍに設定されている。外周部１３ｅの厚さは、例えば２ｍｍに設定されている。
【００５１】
外周部１３ｅの上端１３ａの内周側には、環状の片溝１３ｄが形成されている。この環状の片溝１３ｄに嵌るように、円板状の基板１６が取り付けられている。
【００５２】
基板１６の上面１６ａ、下面１６ｂには、図１（Ｂ）では図示を省略しているが、後述する制御系の要素が搭載されている。
【００５３】
さらに、基板１６の下面１６ｂには、電源部を構成するボタン電池１７（公称３Ｖ）が搭載されている。ボタン電池１７の−極１７ｂは、基板１６上の電極１９ｂに接触している。ボタン電池１７の＋極１７ａは、このセンサ１０の使用前は、図示しない絶縁紙を介して電極１９ａに対向している。この絶縁紙は、ホルダ部１３の外周部１３ｅに設けられた図示しないスリットを通して、ケーシング１１の外部へ延在している。ユーザがこの絶縁紙を外部へ引き抜くことによって、ボタン電池１７の＋極１７ａが電極１９ａに接触して、ボタン電池１７が制御系の要素に電力の供給を開始する。
【００５４】
蓋部１２は、一定の厚さ（例えば１ｍｍ）を有する円板部１２ａと、この円板部１２ａの厚さよりも肉厚（例えば２ｍｍ）の外周縁部１２ｅとを有している。円板部１２ａの下面（裏面）１２ａ′には、アンテナ１８が図示しない接着剤によって貼り付けられている。この蓋部１２の外周縁部１２ｅは、外周部１３ｅの上端１３ａに対して、接着または溶着によって取り付けられている。これにより、蓋部１２がホルダ部１３に対して一体に取り付けられている。
【００５５】
ホルダ部１３の底板部１３ｂの下面１３ｂ′には、図示しない両面接着テープが離型紙とともに設けられている。このセンサ１０の使用前は、両面接着テープの外面はその離型紙で覆われている。このセンサ１０を使用する際に、ユーザがその離型紙を取り外して、上記両面接着テープによって、このセンサ１０を被測定部位に貼り付ける。
【００５６】
また、図１（Ｂ）によって分かるように、センサ支持板１４の下面１４ｂは、ホルダ部１３の底板部１３ｂの下面１３ｂ′よりも若干（例えば０．１ｍｍ）下方へ突出している。したがって、このセンサ１０を被測定部位に貼り付けられたとき、センサ支持板１４の下面１４ｂが被測定部位に密接する。したがって、温度センサ１５は、伝熱性のセンサ支持板１４を介して、被測定部位の温度を精度良く検知することができる。
【００５７】
なお、上述の例では、ホルダ部１３の底板部１３ｂの内縁１３ｃは、一体成形によって、センサ支持板１４の環状フランジ１４ｅを掴むように上下方向に関して２重に構成された。しかしながら、これに限られるものではない。例えば、センサ支持板１４を単なる円板状に構成する。これとともに、ホルダ部１３の底板部１３ｂの内縁に、上方に向かって窪んだ環状の片溝を設ける。そして、この片溝にセンサ支持板１４を下方から嵌合して接着する。このようにして、センサ支持板１４をホルダ部１３の底板部１３ｂに取り付けても良い。
【００５８】
また、上述の例では、ボタン電池１７はケーシング１１内に封じ込まれている。そして、ボタン電池１７の寿命が尽きたとき、このセンサ１０は使い捨てされることを予定している。しかしながら、これに限られるものではない。例えば、ホルダ部１３の外周部１３ｅにボタン電池１７を出し入れ可能にする窓を設けて、ボタン電池１７を交換可能に構成しても良い。これにより、ボタン電池１７の寿命が尽きても、このセンサ１０を繰り返し使用することが可能になる。
【００５９】
図３は、センサ１０の制御系（図１中の基板１６に搭載されている）のブロック構成を示している。このセンサ１０は、制御部２０と、測定部２１と、電源部２２と、通信部２３と、記憶部２５とを有している。
【００６０】
制御部２０は、ＣＰＵ（Central Processing Unit；中央演算処理装置）およびその補助回路を含み、センサ１０の動作全体を制御し、各種の処理を実行する。すなわち、制御部２０は、測定部２１から入力された温度データを処理し、処理したデータを、記憶部２５に記憶させたり、通信部２３から出力させたりする。
【００６１】
測定部２１は、図１中に示した温度センサ１５の出力に基づいて、被測定部位の温度を、被測定者の体温を表す温度データとして取得する。この測定部２１は、温度センサ１５の出力（アナログ信号）を、制御部２０が処理可能なデジタル信号に変換するＡ／Ｄ変換回路を含む。
【００６２】
通信部２３は、測定部２１が取得した信号を、図１中に示したアンテナ１８を介して、無線で送信するために用いられる。この通信部２３は、この例では同じ建屋内に被測定者と看護者とがいることを想定して、通信距離１０ｍ〜２０ｍ程度の近距離通信を行うものである。
【００６３】
記憶部２５は、制御部２０でプログラムを実行するために必要な作業領域として用いられるＲＡＭ（Random Access Memory）と、制御部２０で実行するための基本的なプログラムを記憶するためのＲＯＭ（Read Only Memory）と、を含む。この記憶部２５は、測定部２１を介して得られた被測定者の体温を表す温度データを時系列で記憶することができる。
【００６４】
電源部２２は、図１中に示したボタン電池１７を含み、このボタン電池１７から測定部２１、通信部２３、記憶部２５および制御部２０に電力を供給する。なお、この例ではボタン電池１７は１次電池であるが、１次電池に限らず、時々外部から充電を行える充電式の２次電池であっても良い。
【００６５】
これにより、このセンサ１０は、外部から毎回電力を受けて動作するのではなく、自らの電力（一次電池と充電式の二次電池を含む）で動作する、いわゆるアクティブ型の体温センサとして構成されている。
【００６６】
図２は、上記センサ１０からの温度データを無線で受信する受信機としてのリーダ５０の外観を示している。上記センサ１０とこのリーダ５０とを組み合わせることによって、一実施形態の体温測定システムが構成される。
【００６７】
このリーダ５０は、略直方体状のケーシング５１を有している。ケーシング５１の前面には、操作部６１と、表示部６４とが設けられている。
【００６８】
表示部６４は、この例ではＬＣＤ（Liquid Crystal Display）またはＥＬ（Electroluminescence）ディスプレイからなっている。この表示部６４は、被測定者の体温を表すデータなどを表示する。
【００６９】
操作部６１は、中央に配置されたメニュー／決定キー６３と、このメニュー／決定キー６３の周りに配置された方向キー（上キー６２ａ、下キー６２ｂ、左キー６２ｃ、右キー６２ｄ）とを有している。メニュー／決定キー６３は、ユーザが押すことにより、このリーダ５０によって可能なモードメニュー（図示せず）を表示部６４にリストとして表示させたり、選択されたモードを決定したりするために用いられる。上キー６２ａ、下キー６２ｂは、表示部６４にリストとして表示されたモードメニューのうち、所望のモード（例えば、過去半日、１日、または複数日にわたる体温変化の傾向を表示するモード）をユーザが選択するために用いられる。なお、選択されたモードは、ユーザがメニュー／決定キー６３を再び押すことにより、制御部６０によって実行される。左キー６２ｃ、右キー６２ｄは、表示部６４に表示される体温データを過去に遡らせたり、逆に将来へ移動させたりするのに用いられる。
【００７０】
なお、ケーシング５１の図示しない側面または裏面には、このリーダ５０の電源をオンまたはオフするための電源スイッチが設けられている。
【００７１】
図４は、リーダ５０の制御系（図２中のケーシング５１内に搭載されている）のブロック構成を示している。このリーダ５０は、上述の表示部６４、操作部６１に加えて、制御部６０と、電源部６２と、通信部６３と、記憶部６５とを有している。
【００７２】
制御部６０は、ＣＰＵ（Central Processing Unit；中央演算処理装置）およびその補助回路を含み、リーダ５０の動作全体を制御し、各種の処理を実行する。すなわち、制御部２０は、上記センサ１０から受信した温度データを処理し、処理したデータを、記憶部６５に記憶させたり、表示部６４に表示させたりする。
【００７３】
通信部６３は、上記センサ１０から受信した信号を、ケーシング５１に内蔵された図示しないアンテナを介して、無線で受信するために働く。この通信部６３は、上記センサ１０の通信部２０との間で、少なくとも通信距離１０ｍ〜２０ｍ程度の近距離通信を行うことを予定している。ただし、この通信部６３は、ネットワークを介して、制御部６０によって生成されたデータや記憶部６５に格納されていたデータを、上記センサ１０以外の携帯端末、パーソナルコンピュータ、サーバなどへ送信しても良い。
【００７４】
記憶部６５は、制御部６０でプログラムを実行するために必要な作業領域として用いられるＲＡＭ（Random Access Memory）と、制御部６０で実行するための基本的なプログラムを記憶するためのＲＯＭ（Read Only Memory）と、を含む。また、記憶部６５の記憶領域を補助するための補助記憶装置の記憶媒体として、半導体メモリ（メモリカード、ＳＳＤ（Solid State Drive））などを用いることができる。この記憶部６５は、受信された被測定者の体温を表すデータを時系列で記憶することができる。
【００７５】
電源部６２は、図示しない乾電池（公称３Ｖ）からなり、この乾電池から制御部６０、通信部６３、記憶部６５に電力を供給する。
【００７６】
図５は、センサ１０の動作フローを示している。
【００７７】
まず、図５のステップＳ１で、制御部２０は、図７中に示すように、或る周期Δｔｓ（例えば１０秒間）で、温度センサ１５の出力を測定部２１を介して、被測定者の体温を表す温度データとして取得する。図７中の例では、時刻ｔｉで温度Ｔｉ、時刻ｔｉ＋１で温度Ｔｉ＋１がそれぞれ温度データとして得られている。
【００７８】
次に、図５のステップＳ２で、制御部２０は、図７中に例示するような予め設定された長さをもつ設定期間Δｔｃ（この例では５分間とする。）内で、第１の時刻における第１の温度と第２の時刻における第２の温度との間の温度差ΔＴが、予め定められた或る基準温度差ΔＴｒｅｆ（この例では０．１℃とする。）よりも大きいか否かを判断する。
【００７９】
具体的には、この例では、制御部２０は、上記第１、第２の時刻を、測定部２１が被測定部位の温度を表す信号を繰り返し取得する際の互いに隣り合う時刻とし、それらの互いに隣り合う時刻の間で、被測定者の体温に基準温度差ΔＴｒｅｆを超える温度変化があったか否かを判断する。図７中の時刻ｔｉを前回の測定時刻（第１の時刻）、時刻ｔｉ＋１を今回の測定時刻（第２の時刻）とした例では、温度差ΔＴ＝｜Ｔｉ−Ｔｉ＋１｜がΔＴｒｅｆよりも大きいか否かを判断する。
【００８０】
ここで、ΔＴ＜ΔＴｒｅｆであれば（ステップＳ２でＮＯ）、図５のステップＳ３へ進んで、制御部２０は、前回の送信から予め設定された長さをもつ設定期間Δｔｃ（この例では５分間とする。）が経過したか否かを判断する。図７中に示すように、この設定期間Δｔｃは、温度測定の周期Δｔｓよりも十分に長く設定されている。
【００８１】
逆に言えば、測定部２１は、設定時間Δｔｃ内で、被測定部位の温度を表す信号を、設定時間Δｔｃよりも短い時間間隔Δｔｓで繰り返し取得する。したがって、正確な温度取得が可能となる。また、測定部２１が被測定部位の温度を表す信号を、常時連続的に取得する場合に比して、省電力が可能となる。なお、一般的に、温度を表す信号を取得するための消費電力は、無線送信のための消費電力に比して、２桁程度小さい。したがって、測定部２１による消費電力は、あまり問題とはならない。
【００８２】
図５のステップＳ３で、前回の送信から設定期間Δｔｃが経過していなければ（ステップＳ３でＮＯ）、ステップＳ１に戻って温度測定を繰り返す。
【００８３】
図５のステップＳ３で、前回の送信から設定期間Δｔｃが経過していれば（ステップＳ３でＹＥＳ）、ステップＳ４に進んで、制御部２０は、通信部２３にその設定期間Δｔｃを代表する温度を表す信号（第１の信号）を出力させる（第１の制御）。
【００８４】
この例では、その設定期間Δｔｃを代表する温度とは、その設定期間Δｔｃ終了時点で測定された温度とする。図７の例では、後述の第２の制御の原因が生じない限り、設定期間Δｔｃ毎の時刻ｔ０，ｔｊ，ｔｘ，…に、それぞれその時点で測定された温度Ｔ０，Ｔｊ，ＴＸ，…を表す信号を出力する（なお、時刻ｔ０は、図示しない過去の設定期間Δｔｃの終了時点である。）。
【００８５】
なお、それに代えて、その設定期間Δｔｃの間に測定された温度を記憶部２５に時系列で記憶させておき、制御部２０がそれらの温度を制御部２０が平均して得られた平均温度を、その設定期間Δｔｃを代表する温度としても良い。
【００８６】
この例では、送信される信号には、被測定者の体温を表す温度データに加えて、センサ１０とリーダ５０との間の通信プロトコルに定められた形式的な情報などが含まれている。
【００８７】
一方、図５のステップＳ２で、ΔＴ≧ΔＴｒｅｆであれば（ステップＳ２でＹＥＳ）、直ちにステップＳ４に進んで、制御部２０は、そのΔＴ≧ΔＴｒｅｆになった時点で、通信部２３にその時点の温度を表す信号（第２の信号）を出力させる（第２の制御）。
【００８８】
図７の例では、時刻ｔｊから時刻ｔｘまでの設定期間Δｔｃ内で、前回測定した時刻ｔｋ−１における第１の温度Ｔｋ−１と今回測定した時刻ｔｋにおける第２の温度Ｔｋとの間の温度差ΔＴ（＝｜Ｔｋ−１−Ｔｋ｜）が基準温度差ΔＴｒｅｆに達している。そこで、制御部２０は、温度差ΔＴが基準温度差ΔＴｒｅｆに達した時点で、すなわち時刻ｔｋにその時点の温度Ｔｋを表す信号を送信している。
【００８９】
この後、第２の制御の原因（図５のステップＳ２でＹＥＳ）が生じない限り、制御部２０は、ステップＳ１、Ｓ３、Ｓ４の処理を繰り返す。すなわち、設定期間Δｔｃ毎に、その設定期間Δｔｃ終了時点で測定された温度を表す信号（第１の信号）を送信する。
【００９０】
図６は、リーダ５０の動作フローを示している。
【００９１】
まず、図６のステップＳ１０１で、リーダ５０の制御部６０は、通信部６３を介して、センサ１０からの信号を受信する。センサ１０からの信号には、上述のように、被測定者の体温を表す温度データに加えて、センサ１０とリーダ５０との間の通信プロトコルに定められた形式的な情報が含まれている。
【００９２】
次に、図６のステップＳ１０２で、リーダ５０の制御部６０は、受信した信号に被測定者の体温を表す温度データが含まれているか否かを判断する。
【００９３】
ここで、受信した信号に、被測定者の体温を表す温度データが含まれていれば（ステップＳ１０２でＹＥＳ）、制御部６０は、表示部６４に、その温度データが表す体温を、例えば「３６．５℃」というように表示させる。なお、既に前回の体温が表示されていれば、今回の体温を表すように表示内容を更新する。
【００９４】
一方、受信した信号に温度データが含まれていなければ、または、ステップＳ１０１でデータを受信できていなければ（ステップＳ１０２でＮＯ）、制御部６０は、前回の受信から、予め定められた待機時間Δｔｃが経過しているか否かを判断する。この例では、この待機時間Δｔｃは、センサ１０における基本的な送信の周期（設定期間Δｔｃ）と一致している。
【００９５】
ここで、前回の受信から待機時間Δｔｃが経過していなければ（ステップＳ１０３でＮＯ）、ステップＳ１０１に戻って、データ受信を繰り返す。
【００９６】
一方、前回の受信から待機時間Δｔｃが経過していれば（ステップＳ１０３でＹＥＳ）、制御部６０は、報知部として働く表示部６４に、温度データを受信していないことを表示して、ユーザに報知する。この表示は、例えば「体温データを受信していません」、または「センサに異常が発生しました」というようなものである。それに代えて、または、それに加えて、リーダ５０のケーシング５１に搭載された図示しないブザーによって、警報音を鳴らして、ユーザに報知しても良い。これにより、ユーザは、センサ１０に何らかの異常が発生したことを、容易に知ることができる。
【００９７】
図７の例をもう一度詳しく説明すると、まず、センサ１０は、既述の第１の制御によって、設定期間Δｔｃ毎に、その設定期間Δｔｃを代表する温度を表す信号を送信している。例えば、時刻ｔ０では温度Ｔ０を表す信号を送信し、さらに、それから時刻ｔ０から時刻ｔｊまでの設定期間Δｔｃが経過した時点ｔｊでは温度Ｔｊを表す信号を送信している。
【００９８】
仮に既述の第２の制御の原因が生じなければ、センサ１０は、時刻ｔｊから時刻ｔｘまでの設定期間Δｔｃが経過した時点ｔｘで、その時刻ｔｊから時刻ｔｘまでの設定期間Δｔｃを代表する温度を表す信号を送信したであろう。
【００９９】
実際には、この図７の例では、その時刻ｔｊから時刻ｔｘまでの設定期間Δｔｃ内で、前回測定した時刻ｔｋ−１における第１の温度Ｔｋ−１と今回測定した時刻ｔｋにおける第２の温度Ｔｋとの間の温度差ΔＴ（＝｜Ｔｋ−１−Ｔｋ｜）が基準温度差ΔＴｒｅｆに達している。
【０１００】
そこで、センサ１０は、第２の制御によって、温度差ΔＴが基準温度差ΔＴｒｅｆに達した時点で、すなわち時刻ｔｋにその時点で測定された温度Ｔｋを送信している。
【０１０１】
その後は、第２の制御の原因が生じない限り、センサ１０は、第１の制御によって、設定期間Δｔｃ毎に、その設定期間Δｔｃを代表する温度を表す信号を送信している。例えば、時刻ｔｋから時刻ｔｍまでの設定期間Δｔｃが経過した時点ｔｍでは温度Ｔｍを表す信号を送信し、さらに、それから時刻ｔｍから時刻ｔｎまでの設定期間Δｔｃが経過した時点ｔｎでは温度Ｔｎを表す信号を送信している。
【０１０２】
このように、センサ１０は、設定期間Δｔｃ毎に、その設定期間Δｔｃを代表する温度を表す信号を送信する（第１の制御）。したがって、ユーザは、第１の信号をリーダ５０によって無線で受信すれば、リーダ５０側で、被測定者の体温変化の傾向を知ることができる。それとともに、ユーザは、センサ１０が異常なく動作していることを知ることができる。
【０１０３】
それとともに、センサ１０は、設定期間Δｔｃ内で、前回測定した時刻における第１の温度と今回測定した時刻における第２の温度との間の温度差ΔＴが、予め定められた或る基準温度差ΔＴｒｅｆに達したとき、その基準温度差ΔＴｒｅｆに達した時点で、その時点の温度を表す信号を送信する（第２の制御）。したがって、例えば被測定者の体調が急変して被測定部位に基準温度差ΔＴｒｅｆを超える温度変化があったとき、ユーザは、第２の信号をリーダ５０によって無線で受信すれば、リーダ５０側で、被測定者の体温に基準温度差ΔＴｒｅｆを超える温度変化（特に、設定時間Δｔｃよりも短い時間間隔Δｔｓでの突発的な温度変化）があったことを知ることができる。
【０１０４】
また、制御部２０は、第１の制御における或る設定期間Δｔｃ内に、第２の制御によって信号を送信した時点ｔｋで、第１の制御における設定期間Δｔｃに続く次の設定期間（時刻ｔｋから時刻ｔｍまで）Δｔｃを開始する。この結果、第１の制御による設定期間Δｔｃ毎の無線送信のタイミングが、本来ならば時刻ｔｘであったが、次の設定期間（時刻ｔｋから時刻ｔｍまで）Δｔｃの終点まで繰り延べられる。したがって、通信部２３による無線送信のための電力を節約でき、省電力が可能となる。
【０１０５】
上の例では、図５のステップＳ２で、制御部２０は、上記第１、第２の時刻を、測定部２１が被測定部位の温度を表す信号を繰り返し取得する際の互いに隣り合う時刻とし、前回測定した時刻における第１の温度と今回測定した時刻における第２の温度との間の温度差ΔＴが基準温度差ΔＴｒｅｆよりも大きいか否かを判断した。しかしながら、これに限られるものではない。それに代えて、制御部２０は、設定期間Δｔｃ毎に、第１の時刻をその設定期間の開始時点とし、第２の時刻をその設定期間内の第１の時刻よりも後の時点としても良い。例えば図７中の左端の最初の設定期間Δｔｃでは、第１の時刻をその設定期間Δｔｃの開始時点である時刻ｔ０とし、第２の時刻をその設定期間内の時刻ｔ０よりも後の今回の測定時刻である時刻ｔｉ＋１とする。また、その設定期間Δｔｃ直前の設定期間（図示せず。以下「直前設定期間」と呼ぶ。）を代表する温度を、時刻ｔ０に測定された温度Ｔ０とする。そして、温度差ΔＴ＝｜Ｔ０−Ｔｉ＋１｜がΔＴｒｅｆよりも大きいか否かを判断する。そして、その温度差ΔＴが基準温度差ΔＴｒｅｆに達した時点で、制御部２０による第２の制御によって、第２の信号を無線で送信する。したがって、ユーザは、第２の信号を受信機によって無線で受信すれば、受信機側で、被測定者の体温に、或る設定期間Δｔｃの開始時点での第１の温度に対して基準温度差ΔＴｒｅｆを超える温度変化があったことを知ることができる。この場合、設定期間Δｔｃ内で被測定者の体温が徐々に緩やかに上昇（または下降）する場合に、その体温の上昇（または下降）を有効に検出できる。
【０１０６】
なお、上述の図示しない直前設定期間を代表する温度を、時刻ｔ０に測定された温度Ｔ０に代えて、その直前設定期間の平均温度（Ｔaveとする。）としても良い。これにより、被測定者の体温の基準を適切に設定できる。この平均温度Ｔaveは、その直前設定期間の間に測定された温度を記憶部２５に時系列で記憶させておき、制御部２０がそれらの温度を平均することによって得られる。この場合、図５のステップＳ２では、温度差ΔＴ＝｜Ｔave−Ｔｉ＋１｜がΔＴｒｅｆよりも大きいか否かを判断する。そして、その温度差ΔＴが基準温度差ΔＴｒｅｆに達した時点で、制御部２０による第２の制御によって、第２の信号を無線で送信する。
【０１０７】
図８は、センサ１０を変形した変形例（符号１０Ａで示す。）の制御系のブロック構成を示している。なお、図３中の構成要素と同一の構成要素には同一の符号を付して、重複する説明を省略する。
【０１０８】
この変形例のセンサ１０Ａは、図３のセンサ１０の構成要素に加えて、電圧監視部２４を備えている。この電圧監視部２４は、電源部２２に含まれたボタン電池１７の電圧（符号Ｖで表す。）を検知して、制御部２０に入力する。なお、ボタン電池１７の電圧は、この例では公称３Ｖであるが、使用を継続すると次第に低下する。
【０１０９】
図９は、この変形例のセンサ１０Ａの動作フローを示している。この動作フローは、図５に示した動作フローに対して、ステップＳ１の直後に、ステップＳ１０として電圧判定処理を行う点が異なっている。
【０１１０】
なお、以下では、既述の第１の制御における設定期間Δｔｃを一般化して、符号Δｔｃｘで表すものとする。
【０１１１】
この電圧判定処理は、図１０に示すように、まずステップＳ１１で、制御部２０が電圧監視部２４を介してボタン電池１７の電圧Ｖを取得する。
【０１１２】
次に、ステップＳ１２で、制御部２０は、取得した電圧Ｖが予め定められた或る基準電圧Ｖｒｅｆ（この例では、２．７Ｖ（ボルト）とする。）以上であるか否かを判断する。
【０１１３】
ここで、Ｖ≧Ｖｒｅｆであれば（ステップＳ１２でＹＥＳ）、制御部２０は、この例では期間設定部として働いて、ステップＳ１３で、基準Ａとして、第１の制御における設定期間ΔｔｃｘをΔｔｃ（＝５分間）に設定する。
【０１１４】
この結果、センサ１０Ａは、センサ１０と全く同様に、図９のステップＳ２からＳ４の動作を行う。すなわち、センサ１０Ａは、設定期間Δｔｃ毎に、通信部２３にその設定期間Δｔｃを代表する温度を表す第１の信号を送信する（第１の制御）。それとともに、センサ１０Ａは、設定期間Δｔｃ内で、前回測定した時刻における第１の温度と今回測定した時刻における第２の温度との間の温度差ΔＴが、予め定められた或る基準温度差ΔＴｒｅｆに達したとき、その基準温度差ΔＴｒｅｆに達した時点で、その時点の温度を表す第２の信号を送信する（第２の制御）。このとき、送信される信号には、設定期間Δｔｃｘの長さを表す情報（この例ではΔｔｃｘ＝Δｔｃを表す情報）が含まれるものとする。
【０１１５】
一方、図１０のステップＳ１２で、Ｖ＜Ｖｒｅｆであれば（ステップＳ１２でＮＯ）、制御部２０は、この例では期間設定部として働いて、ステップＳ１４で、基準Ｂとして、第１の制御における設定期間Δｔｃｘの長さ２Δｔｃ（＝１０分間）に設定する。つまり、設定期間Δｔｃｘの長さをこの例では２倍に延長して設定する。
【０１１６】
例えば、図１２に示すように、時刻ｔｊから時刻ｔｘまでの本来の設定期間Δｔｃｘ内で、時刻ｔｋに電圧低下（Ｖ＜Ｖｒｅｆ）を検出したとき、制御部２０は、その設定期間Δｔｃｘの長さを２Δｔｃに延長して設定する。
【０１１７】
この結果、センサ１０Ａは、設定期間Δｔｃｘの長さを２Δｔｃに延長して、図９のステップＳ２からＳ４の動作を行う。すなわち、センサ１０Ａは、設定期間２Δｔｃ毎に、通信部２３にその設定期間２Δｔｃを代表する温度を表す第１の信号を送信する（第１の制御）。それとともに、センサ１０Ａは、設定期間２Δｔｃ内で、前回測定した時刻における第１の温度と今回測定した時刻における第２の温度との間の温度差ΔＴが、予め定められた或る基準温度差ΔＴｒｅｆに達したとき、その基準温度差ΔＴｒｅｆに達した時点で、その時点の温度（第２の温度）を表す第２の信号を送信する（第２の制御）。このとき、第２の信号には、設定期間Δｔｃｘの長さを表す情報（この例ではΔｔｃｘ＝２Δｔｃを表す情報）が含まれるものとする。
【０１１８】
この変形例のセンサ１０Ａによれば、ボタン電池１７が消耗してその電圧が低下したとき、通信部２３による無線送信のための電力を節約でき、ボタン電池１７の寿命を延ばすことができる。
【０１１９】
なお、図９のステップＳ２においても、図５のステップＳ２に関して述べたのと同様に、或る設定期間Δｔｃｘの開始時点での第１の温度（直前設定期間を代表する温度）とその設定期間Δｔｃｘ内の第１の時刻よりも後の時点での第２の温度との間の温度差ΔＴが基準温度差ΔＴｒｅｆに達した時点で、その時点の温度を表す第２の信号を送信するようにしても良い。
【０１２０】
図１１は、上記変形例のセンサ１０Ａに適応したリーダ５０の動作フローを示している。この動作フローは、図６に示した動作フローに対して、ステップＳ１０１の直後に、ステップＳ１１０として、待機時間Δｔｃｘを可変して設定する点が主に異なっている。
【０１２１】
まず、図１１のステップＳ１０１で、リーダ５０の制御部６０は、通信部６３を介して、センサ１０からの信号を受信する。センサ１０からの信号には、この例では、センサ１０とリーダ５０との間の通信プロトコルに定められた形式的な情報や、被測定者の体温を表す温度データ、さらに設定期間Δｔｃｘの長さを表す情報が含まれている。
【０１２２】
次に、図１１のステップＳ１１０で、リーダ５０の制御部６０は、センサ１０からの信号に基づいて、待機時間Δｔｃｘを可変して設定する。具体的には、受信した設定期間Δｔｃｘの長さがΔｔｃであれば、待機時間Δｔｃｘの長さをΔｔｃに設定する。一方、受信した設定期間Δｔｃｘの長さが２Δｔｃであれば、待機時間Δｔｃｘの長さを２Δｔｃに設定する。
【０１２３】
次に、図１１のステップＳ１０２で、リーダ５０の制御部６０は、受信した信号に被測定者の体温を表す温度データが含まれているか否かを判断する。
【０１２４】
ここで、受信した信号に、被測定者の体温を表す温度データが含まれていれば（ステップＳ１０２でＹＥＳ）、制御部６０は、表示部６４に、その温度データが表す体温を、例えば「３６．５℃」というように表示させる。なお、既に前回の体温が表示されていれば、今回の体温を表すように表示内容を更新する。
【０１２５】
一方、受信した信号に温度データが含まれていなければ、または、ステップＳ１０１でデータを受信できていなければ（ステップＳ１０２でＮＯ）、制御部６０は、前回の受信から、予め定められた待機時間Δｔｃｘが経過しているか否かを判断する。この例では、この待機時間Δｔｃｘは、センサ１０における基本的な送信の周期（設定期間Δｔｃｘ）と一致している。
【０１２６】
ここで、前回の受信から待機時間Δｔｃｘが経過していなければ（ステップＳ１０３でＮＯ）、ステップＳ１０１に戻って、データ受信を繰り返す。
【０１２７】
一方、前回の受信から待機時間Δｔｃｘが経過していれば（ステップＳ１０３でＹＥＳ）、制御部６０は、報知部として働く表示部６４に、温度データを受信していないことを表示して、ユーザに報知する。これにより、ユーザは、センサ１０に何らかの異常が発生したことを、容易に知ることができる。
【０１２８】
なお、センサ１０が送信する信号に、被測定者の体温を表す温度データに加えて、ボタン電池１７の電圧Ｖを含めても良い。そして、ボタン電池１７の電圧Ｖが低下したとき、その電圧Ｖに応じて、設定期間Δｔｃｘと待機時間Δｔｃｘを連続的に可変して延長しても良い。
【０１２９】
上記センサ１０Ａでは、電源部２２に含まれたボタン電池１７の電圧Ｖが基準電圧Ｖｒｅｆを下回ったとき、基準Ｂとして、設定期間Δｔｃｘの長さを延長して設定するものとしたが、これに限られるものではない。例えば、基準Ｂとして、基準温度差ΔＴｒｅｆを拡大して設定しても良い。
【０１３０】
具体的には、図１０のステップＳ１２で、Ｖ≧Ｖｒｅｆであれば（ステップＳ１２でＹＥＳ）、制御部２０は、この例では基準温度差設定部として働いて、ステップＳ１３で、基準Ａとして、第１の制御における基準温度差ΔＴｒｅｆを０．１℃に設定する。一方、図１０のステップＳ１２で、Ｖ＜Ｖｒｅｆであれば（ステップＳ１２でＮＯ）、制御部２０は、この例では基準温度差設定部として働いて、ステップＳ１４で、基準Ｂとして、第１の制御における基準温度差ΔＴｒｅｆを２倍に拡大して０．２℃に設定する。
【０１３１】
このようにした場合も、ボタン電池１７が消耗してその電圧が低下したとき、通信部２３による無線送信のための電力を節約でき、ボタン電池１７の寿命を延ばすことができる。
【０１３２】
センサ１０Ａは、電源部２２に含まれたボタン電池１７の電圧Ｖが基準電圧Ｖｒｅｆを下回ったとき、送信する信号に１回だけその情報を含ませるようにしても良い。これにより、送信する信号に毎回その情報を含ませる場合に比して、無線送信のための情報量を節約でき、ボタン電池１７の寿命を延ばすことができる。
【０１３３】
上述の実施形態では、設定期間Δｔｃ，Δｔｃｘの長さは５分間から１０分間までの範囲内であるものとした。したがって、ユーザは、例えば半日、１日、または複数日にわたる体温変化の傾向を容易に知ることができる。また、仮にセンサ１０，１０Ａが故障して信号を全く送信しない状態になったとき、ユーザは、センサ１０，１０Ａに何らかの異常が発生したことを、容易に気付くことができる。それに対して、設定期間Δｔｃ，Δｔｃｘの長さが長すぎると、ユーザは、このセンサ１０に何らかの異常が発生したことを、なかなか気付くことができない。また、設定期間Δｔｃ，Δｔｃｘで、第２の制御の原因が生じない限り、通信部２３による無線送信は、５分間から１０分間までの範囲内の設定期間Δｔｃ，Δｔｃｘ毎に行われるだけである。したがって、無線送信のための電力を節約でき、省電力が可能となる。ただし、設定期間Δｔｃ，Δｔｃｘをさらに延長しても良い。
【０１３４】
上述の実施形態では、基準温度差ΔＴｒｅｆは０．１℃から０．２℃までの範囲内であるから、被測定部２１位の温度変化を、普及している市販の体温計並みの精度で検知できる。ただし、基準温度差ΔＴｒｅｆをさらに拡張しても良い。
【０１３５】
上述の実施形態では、センサ１０，１０Ａに適応したリーダ５０（つまり専用機）を受信機として備えたが、これに限られるものではない。一般的なスマートフォンに、図６または図１１の動作フローを実行させるためのプログラム（アプリケーションソフトウェア）をインストールして、受信機として用いても良い。
【０１３６】
また、そのプログラムを、メモリその他の非一時的なコンピュータ読み取り可能な記録媒体（メモリ、ハードデイスクドライブ、光ディスクなど）にエンコードしておき、汎用コンピュータに上述の動作フローを実行させても良い。
【０１３７】
以上の実施形態は例示であり、この発明の範囲から離れることなく様々な変形が可能である。
【符号の説明】
【０１３８】
１０，１０Ａ  センサ
１１，５１  ケーシング
１５  温度センサ
１７  ボタン電池
１８  アンテナ
５０  リーダ
【図１】
2014074660.tif 000003
【図２】
2014074660.tif 000004
【図３】
2014074660.tif 000005
【図４】
2014074660.tif 000006
【図５】
2014074660.tif 000007
【図６】
2014074660.tif 000008
【図７】
2014074660.tif 000009
【図８】
2014074660.tif 000010
【図９】
2014074660.tif 000011
【図１０】
2014074660.tif 000012
【図１１】
2014074660.tif 000013
【図１２】
2014074660.tif 000014